(57)【要約】【課題】販売容器を育成容器として使用できるようにする。【解決手段】植物育成装置１は、培養袋４と育成袋５と標識構造体６および説明書７が上カプセル２と下カプセル３とが互いに組み合わせられてなる人の掌で掴まれる携帯可能な大きさの１つのカプセルの内部に収容された後に上カプセル２および下カプセル３を封じ具８で封じられた構造であり、植物育成装置１を購入した人は、封じ具８を外し、上カプセル２と下カプセル３との組み合わせを解除し、培養袋４から培養土１５を上カプセル２の中に入れ、育成袋５から育成対象物１６を培養土１５に撒いた後、水または培養液１７を培養土１５の上から撒いて培養土１５を濡らし、余分な水または培養液１７が上カプセル２の排水孔２３を経由して下カプセル３の中に溜まり、育成対象物１６としての植物が上カプセル２に収容され培養土１５および下カプセル３に貯められた水または培養液１７で育成される。【選択図】図１
2008289448.tif 000002
【特許請求の範囲】
【請求項１】
培養土の封入された培養袋と育成対象物の封入された育成袋とが排水孔の有る上カプセルと下カプセルとが互いに組み合わせられてなる人の掌で掴まれる携帯可能な大きさの１つのカプセルの内部に収容され、上カプセルおよび下カプセルが封じ具で封じられたことを特徴とする植物育成装置。
【請求項２】
カプセルの内部には標識構造体および説明書が収容されたことを特徴とする請求項１記載の植物育成装置。
【発明の詳細な説明】
【技術分野】
【０００１】
本発明は、販売容器を育成容器として使用できる植物育成装置に関する。
【背景技術】
【０００２】
特許文献１の図１６で開示された植物育成装置は、内鉢が外鉢に上方から嵌め込まれ状態において、植物が内鉢に収容され培養土および外鉢に貯められた水または培養液で育成される。しかしながら、内鉢および外鉢が培養土や育成対象物などの販売容器として使用することができないので、内鉢と外鉢と培養土および育成対象物などからなる一組の植物育成装置として自動販売機で販売することができないという欠点がある。
【特許文献１】特開平１０−２９号公報
【発明の開示】
【発明が解決しようとする課題】
【０００３】
発明が解決しようとする問題点は、内鉢と外鉢と培養土および育成対象物などからなる一組の植物育成装置として自動販売機で販売できないという点である。
【課題を解決するための手段】
【０００４】
本発明に係る植物育成装置は、培養土の封入された培養袋と育成対象物の封入された育成袋とが排水孔の有る上カプセルと下カプセルとが互いに組み合わせられてなる人の掌で掴まれる携帯可能な大きさの１つのカプセルの内部に収容され、上カプセルおよび下カプセルが封じ具で封じられたことを最も主要な特徴とする。カプセルの内部には標識構造体および説明書が収容されてもよい。
【発明の効果】
【０００５】
本発明に係る植物育成装置は、上カプセルと下カプセルとが販売容器および育成容器として使用できるという利点があるうえ、上カプセルと下カプセルとが互いに組み合わせられてなる１つのカプセルが人の掌で掴まれる携帯可能な大きさであるので、培養袋と育成袋とを収容した上カプセルと下カプセルとからなる１つのカプセルを封じ具で封じた構造の植物育成装置として自動販売機で販売することができるという利点があり、さらに、植物育成装置を購入した人は、封じ具を外し、上カプセルと下カプセルとの組み合わせを解除し、上カプセルの底部が下カプセルの内部に収納されるように、上カプセルが下カプセルに嵌め込まれ、培養袋から培養土が上カプセルの中に入れられ、育成袋から育成対象物が上カプセルの中の培養土に撒いたりまたは植えられたりした後、水または培養液が培養土の上から培養土に撒かれると、この撒かれた水または培養液が培養土を濡らし、余分な水または培養液が上カプセルの排水孔を経由して下カプセルの中に溜まり、下カプセルが机などの台の上に搭載され、育成対象物としての植物が上カプセルに収容され培養土および下カプセルに貯められた水または培養液で育成されるという利点がある。
【発明を実施するための最良の形態】
【０００６】
図１乃至図４は、発明を実施するための最良の形態である。図１は、植物育成装置１の販売から育成までの形態を示す。図２は、植物育成装置１を分解して示す。図３は、上カプセル２と下カプセル３とが１つのカプセルとして組み合わせられた構造を示す。図４は、上カプセル２と下カプセル３とを植物育成のために組み合わせられた構造を示す。
【０００７】
図１を参照し、植物育成装置１の販売から育成までの形態について説明する。ステップ１０１に示すように、植物育成装置１は、上カプセル２と下カプセル３と培養袋４と育成袋５と標識構造体６および説明書７を備え、培養袋４と育成袋５と標識構造体６および説明書７が上カプセル２と下カプセル３とが互いに組み合わせられなる１つのカプセルの内部に収容された後、上カプセル２および下カプセル３が封じ具８（ステップ１０２参照）で封じられる。封じ具８は、一例として、熱収縮性合成樹脂から構成されたシュリングパックなどから構成される。上カプセル２と下カプセル３とからなるカプセルは、人の手の掌で掴まれる携帯可能な大きさである。
【０００８】
ステップ１０２に示すように、植物育成装置１の販売形態は、封じ具８で封じられた植物育成装置１がガチャガチャ（登録商標）などの自動販売機９の中に収容される。そして、植物育成装置１の購入形態は、植物育成装置１を購入する人が、自動販売機９の投入口１０に図外の貨幣などの有価物を投入した後に自動販売機９の操作部１１を操作すると、自動販売機９が収容された複数の植物育成装置１の１つを商品出口１２に排出し、上記人が自動販売機９から排出された植物育成装置１を手に持つことで購入する。植物育成装置１の販売形態として、自動販売機９を使用することなく、複数の植物育成装置１を収容した箱を店に置くような形態でもよい。
【０００９】
ステップ１０３に示すように、植物育成装置１を購入した人は、封じ具８を外し、上カプセル２と下カプセル３との組み合わせを解除し、説明書７を読み、説明書７に従い、上カプセル２の底部２２が下カプセル３の内部に収納されるように、上カプセル２が下カプセル３の上になるように、上カプセル２を下カプセル３に嵌め込む。
【００１０】
ステップ１０４に示すように、上記人は、培養袋４を開封し、培養土１５を培養袋４から上カプセル２の中に入れて水を加えて培養土１５を膨潤させ、育成袋５を開封し、育成袋５から育成対象物１６を上カプセル２の中の培養土１５に撒いたりまたは植えたりした後、標識構造体６を立て、水または培養液１７を培養土１５の上から培養土１５に撒く。この撒かれた水または培養液１７は、培養土１５を濡らし、余分な水または培養液１７が上カプセル２の排水孔２３を経由して下カプセル３の中に溜まる。このように組み立てられた植物育成装置１は、下カプセル３が机などの台の上に搭載され、育成対象物１６としての植物が上カプセル２に収容され培養土１５および下カプセル３に貯められた水または培養液１７で育成される。
【００１１】
最良の形態によれば、上カプセル２と下カプセル３とからなるカプセルが人の手の掌で掴んで携帯可能な大きさであることから、培養袋４と育成袋５と標識構造体６および説明書７を収容した上カプセル２と下カプセル３とからなるカプセルを封じ具８で封じた構造の植物育成装置１として自動販売機９で販売することができる。上カプセル２と下カプセル３とからなるカプセルが球形であるので、自動販売機９の中で詰まることなく商品出口１２に排出される。
【００１２】
図２を参照し、植物育成装置１の構造について説明する。上カプセル２は、円形な開口部から内部に半球形に窪む収容室１８を囲む半球形なバイオマス樹脂または合成樹脂からなる植木鉢として使用される容器である。上カプセル２の開口部には、上嵌合部１９が設けられる。上嵌合部１９は、収容室１８の開口部側よりも大きな直径を有する円形な周壁が収容室１８を仕切る壁の開口部側に連接された構造である。
【００１３】
収容室１８を仕切る壁の開口部側には、具設置部２０が複数設けられる。具設置部２０には、設置孔２１が、上部に開口し、下部の閉鎖された縦孔として個別に設けられる。具設置部２０と上嵌合部１９との間には、下カプセル３の下嵌合部２８が取り込まれる隙間Ｌが形成される。具設置部２０が複数設けられたので、標識構造体６以外の育成対象物１６を支える図外の支柱を具設置部２０に装着してもよい。よって、支柱もカプセルの内部に収容しておいてもよい。
【００１４】
収容室１８には、底部２２が上カプセル２の開口部と平行な扁平に形成される。よって、収容室１８に培養土１５や育成対象物１６を入れる場合、底部２２の扁平な外面が机などの台の上に載せられることによって、上カプセル２が斜めに揺れることがなく、培養土１５や育成対象物１６が収容室１８に適切に入れられる。
【００１５】
底部２２には、複数の排水孔２３が、底部２２の中心を中心とする１つの円周上に位置し、収容室１８と外部とへの貫通孔として設けられる。収容室１８を仕切る壁には、排水孔２３よりも口径の大きな複数の貫通孔２４が、底部２２の側に位置し、底部２２の中心を中心とする上記１つの円周よりも直径の大きな１つの円周上に位置し、収容室１８と外部とに貫通するように設けられる。
【００１６】
収容室１８を仕切る壁および底部２２には、収容室１８に突出するリブ２５が環状および放射状に設けられる。よって、収容室１８を仕切る壁および底部２２の厚さを薄くしても、リブ２５が上カプセル２の形状を保持することできる。
【００１７】
下カプセル３は、円形な開口部から内部に半球形に窪む収容室２７を囲む半球形なバイオマス樹脂または合成樹脂からなる水受鉢として使用される容器である。下カプセル３の開口部には、下嵌合部２８が設けられる。下嵌合部２８は、上嵌合部１９と嵌め合わされるものであって、収容室２７の開口部側よりも小さな直径を有する円形な周壁が収容室２７を仕切る壁の開口部側に連接された構造である。
【００１８】
収容室２７には、底部２９が下カプセル３の開口部と平行な扁平に形成される。よって、底部２９の扁平な外面が机などの台の上に載せられることによって、下カプセル３が斜めに揺れることがなく、上カプセル２の組み合わせられた下カプセル３が台の上に安定に置かれる。
【００１９】
収容室２７を仕切る壁および底部２９には、収容室２７に突出するリブ３０が環状および放射状に設けられる。よって、収容室２７を仕切る壁および底部２９の厚さを薄くしても、リブ３０が下カプセル３の形状を保持することできる。
【００２０】
培養袋４は、バイオマス樹脂または合成樹脂のフィルムからなる袋の中に、培養土１５が圧縮された状態で入れられた後、袋が封じられて密封状に構成された形態である。育成袋５は、バイオマス樹脂または合成樹脂のフィルムからなる袋の中に、育成対象物１６が複数個入れられた後、袋が封じられて密封状に構成された形態である。例えば、大人の男性向けの育成対象物１６としては、サボテンまたは盆栽の種などが選択される。男の子向けの育成対象物１６としては、花または野菜の種などが選択される。大人の女性向けの育成対象物１６としては、ハーブまたは野菜の種などが選択される。女の子向けの育成対象物１６としては、花またはクローバなどの種が選択される。
【００２１】
標識構造体６は、バイオマス樹脂または合成樹脂からなるポール３１の一端部にバイオマス樹脂または合成樹脂からなる看板３２を備える。看板３２の表面には、育成対象物１６の名称や育成開始時期などが記載されるか、または、育成対象物１６の名称や育成開始時期などの記載されたラベルが貼付される。そして、ポール３１の他端部が具設置部２０の設置孔２１における１つに上から挿入されることによって、標識構造体６が上カプセル２の開口部から上方に突出するように立てられる。説明書７は、上カプセル２と下カプセル３との組立方、培養土１５の入れ方、育成対象物１６の扱い方、水または培養液１７のやり方などの説明文や必要な図が紙に記載された形態である。
【００２２】
図３を参照し、上カプセル２と下カプセル３とが１つのカプセルとして組み合わせられた構造について説明する。上カプセル２の開口部と下カプセル３の開口部が互いに向かい合わせられ、上嵌合部１９と下嵌合部２８とが互いに嵌め合わせられることによって、上カプセル２と下カプセル３とが１つのカプセルとして組み合わせる。
【００２３】
図４を参照し、上カプセル２と下カプセル３とが植物育成のために組み合わせられた構造について説明する。上カプセル２の底部２２が下カプセル３の内部に収納されるように、上カプセル２が下カプセル３の上になるように、上カプセル２が下カプセル３に嵌め込まれることによって、下嵌合部２８が上嵌合部１９を下から支え、上カプセル２と下カプセル３との間に空間が形成される。
【産業上の利用可能性】
【００２４】
上カプセル２または下カプセル３は、半球形以外の半角筒形であってもよい。上カプセル２の外面または下カプセル３の外面に、植物育成装置１の商標やロゴまたは特許表示などを、外面から内部への窪みとして形成してもよい。具設置部２０は、単数であってもよい。下カプセル３に貯められた水は、培養液であってもよい。リブ２５は、上カプセル２または下カプセル３に設けられなくてもよい。育成対象物１６は、種に限定されるものではなく、販売期間は種よりも短くなるが、苗や苗木でもよい。上嵌合部１９と下嵌合部２８が互いに嵌め合わされる場合、上嵌合部１９が内側に位置し、下嵌合部２８が外側に位置してもよい。封じ具８は、熱収縮性合成樹脂から構成されたシュリングパックに限定されるものではなく、セロテープ（登録商標）、上カプセル２および下カプセル３の双方に設けられる凹部と凸部との嵌め込み構造などでもよい。
【図面の簡単な説明】
【００２５】
【図１】植物育成装置の販売から育成までの工程図（最良の形態）。
【図２】植物育成装置の分解斜視図（最良の形態）。
【図３】上カプセルと下カプセルとが１つのカプセルとして組み合わせられた断面図（最良の形態）。
【図４】上カプセルと下カプセルとが植物育成のために組み合わせられた断面図（最良の形態）。
【符号の説明】
【００２６】
１は植物育成装置、２は上カプセル、３は下カプセル、４は培養袋、５は育成袋、６は標識構造体、７は説明書、８は封じ具、９は自動販売機、１０は投入口、１１は操作部、１２は商品出口、１３；１４は欠番、１５は培養土、１６は育成対象物、１７は水または培養液、１８は収容室、１９は上嵌合部、２０は具設置部、２１は設置孔、２２は底部、２３は排水孔、２４は貫通孔、２５はリブ、２６は欠番、２７収容室、２８は下嵌合部、２９は底部、３０はリブ、３１はポール、３２は看板、Ｌは隙間。
【図１】
2008289448.tif 000003
【図２】
2008289448.tif 000004
【図３】
2008289448.tif 000005
【図４】
2008289448.tif 000006